(57)【要約】【課題】  傾斜したトイレの床面に床レールを固定し、該床レールに被さる巾木を水平に支えてトイレパネルを載置するアジャスター装置であって、床レールに被さる巾木を水平に支えることが出来るアジャスター装置の提供。【解決手段】  アジャスター装置１２は床レール１３の側片１７，１７に取付けられる基板１と該基板中央に起立するアジャスターネジ２から成り、基板１はアルミなどの押出し材を所定の長さに切断したもので、その中央部を低くした概略逆山形断面にすると共に中央部には間隔をおいて２本のリブ７，７を上方へ突出し、上記アジャスターネジ２はネジ穴及び両リブ７，７の間に起立してリブ内側面に形成した凹溝９，９・・に噛合って螺合し、そして床レール上端部に斜め上方へ傾斜して形成した嵌入支持片１９，１９が嵌る挟持部３，３を基板１の両側に斜め下方外側へ延ばして設けている。【選択図】    図１
2007198065.tif 000002
【特許請求の範囲】
【請求項１】
傾斜したトイレの床面に床レールを固定し、該床レールに被さる巾木を水平に支えてトイレパネルを載置するアジャスター装置において、該アジャスター装置は床レールの側片に取付けられる基板と該基板中央に起立するアジャスターネジから成り、基板はアルミなどの押出し材を所定の長さに切断したものやアルミダイキャスト又は強化樹脂の成形品で、その中央部を低くした概略逆山形断面にすると共に中央部には間隔をおいて２本のリブを上方へ突出し、上記アジャスターネジはネジ穴及び両リブの間に起立してリブ内側面に形成した凹溝に噛合って螺合し、そして床レール上端部に斜め上方へ傾斜して形成した嵌入支持片が嵌る挟持部を基板の両側に斜め下方外側へ延ばして設けたことを特徴とするトイレブースのアジャスター装置。
【請求項２】
傾斜したトイレの床面に床レールを固定し、該床レールに被さる巾木をアジャスター装置のアジャスターネジにて水平に支えてトイレパネルを載置する支持構造において、該アジャスター装置は床レールの側片に取付けられる基板と該基板中央に起立するアジャスターネジから成り、基板はアルミなどの押出し材を所定の長さに切断したものやアルミダイキャスト又は強化樹脂の成形品で、その中央部を低くした概略逆山形断面とし、基板の両側には斜め下方外側に延ばした挟持部を設け、そして床レール上端部には斜め上方内側へ傾斜した嵌入支持片を形成し、上記挟持部の隙間に嵌入支持片を嵌めて基板を床レールに取付け、基板中央部を低くしたことで巾木を支えるアジャスターネジの頭部が大きく降下出来る長さ調整機能を備えたことを特徴とするトイレブースのトイレパネルの支持構造。
【請求項３】
傾斜したトイレの床面に床レールを固定し、該床レールに被さる巾木をアジャスター装置のアジャスターネジにて水平に支えてトイレパネルを載置する支持構造において、該アジャスター装置は床レールの側片に取付けられる基板と該基板中央に起立するアジャスターネジから成り、基板はアルミなどの押出し材を所定の長さに切断したものやアルミダイキャスト又は強化樹脂の成形品で、その中央部を低くした概略逆山形断面にすると共に中央部には間隔をおいて２本のリブを突出し、上記アジャスターネジはネジ穴及び両リブの間に起立してリブ内側面に形成した凹溝に噛合って螺合し、そして基板の両側には斜め下方外側に延ばした挟持部を設け、床レール上端部には斜め上方内側へ傾斜した嵌入支持片を形成し、上記挟持部の隙間に嵌入支持片を嵌めて基板を床レールに取付け、基板中央部を低くしたことで巾木を支えるアジャスターネジの頭部が大きく降下出来る長さ調整機能を備えたことを特徴とするトイレブースのトイレパネルの支持構造。
【請求項４】
上記リブを基板中央部の上方へ突出した請求項３記載のトイレブースのトイレパネルの支持構造。
【請求項５】
上記リブを基板中央部の下方へ突出した請求項３記載のトイレブースのトイレパネルの支持構造。
【発明の詳細な説明】
【技術分野】
【０００１】
本発明はトイレブースを構成する為のトイレパネルのアジャスター装置、及びトイレパネルの支持構造に関するものである。
【背景技術】
【０００２】
トイレブースの形態にも色々あるが、本発明が対象とするトイレブースは間仕切り用のパネルを据付けて構成されるものであり、図５はその具体例である。同図に示しているように、壁面から垂直に延びる仕切りパネル(イ)、(イ)・・の正面には正面パネル(ロ)、(ロ)・・が垂直に取付けられ、そして隣合う正面パネル間に形成される入口(ハ)、(ハ)・・にはドア(ニ)、(ニ)・・が開閉出来るように取付けられている。又、入口の上部を跨って正面パネル(ロ)、(ロ)・・の上端には笠木が取付けられている。
【０００３】
図６は図５のＢ−Ｂ断面拡大図であり、正面パネル(ロ)は所定の高さに支持された巾木(ホ)に載って据付けられている。ここで、該巾木(ホ)は床レール(ヘ)に配置したアジャスター装置(ヌ)にて適度な高さに調整されている。該アジャスター装置(ヌ)は門形脚(ト)の上板に設けたネジ穴にアジャスターネジ(チ)を螺合して取付けた構造とし、適度な高さとしたアジャスターネジ(チ)の頭部(リ)に巾木(ホ)が載って支持されている。
【０００４】
正面パネル(ロ)のみならず仕切りパネル(イ)も同じような支持構造と成っている。しかし、トイレパネルの支持構造は同図に示すような床レール(ヘ)にアジャスター装置(ヌ)を配置した構造でなく、床レールや巾木を用いることなく床面から起立する脚にて仕切りパネル(イ)及び正面パネル(ロ)を支えるようにしたトイレブースも多用されている。
【０００５】
ところで、トイレに設置されるトイレブースは水を流して清掃することが常であり、その為に水が流れ易いように床面を僅かに傾斜させている。脚だけにてトイレパネル支持する構造であれば何ら問題はないが、同図に示す如く床レール(ヘ)にアジャスター装置(ヌ)を配置した支持構造の場合、清掃時に使用する水は床面を流れ、又床レール(ヘ)を流れた水は門形脚(ト)に当ってその一部は常に溜まっている。その為に、床レール(ヘ)や巾木(ホ)はサビにくい材質としてステンレスが使用されている。
【０００６】
又、このような門形脚(ト)にアジャスターネジ(チ)を備えたアジャスター装置(ヌ)は安定性が悪くて位置ズレし、時にはトイレパネルの据付け作業中に転倒することもある。そして、床レール(ヘ)は床面にネジ止めされるが、このネジの位置を避けてアジャスター装置(ヌ)を配置しなくてはならないといった制約もある。
【０００７】
パネルのアジャスター装置として上記門形脚を用いることなく床レールの側片上端に直接取付けて構成した場合もある。特開２００４−２５７１０７号に係る「間仕切り装置のアジャスター及びパネルの支持構造」は、間仕切り装置の床レールに取付けられてパネルが載る巾木を適当な高さに支持する為の支持構造であって、床レールの所定の位置に取着されて、その位置ズレや転倒を防止し、製作も簡単である。
【０００８】
すなわち、間仕切り装置の床レールに取付けられてパネルが載る巾木をアジャスターを介して適当な高さに支持するパネル支持構造において、上板と両側板から成る支持板の上記側板両端には切欠き溝を形成し、そして該上板の中央に設けたネジ穴にはネジを螺合して起立することでアジャスターを構成し、床レールの両側板上縁を内側へ湾曲又は屈曲すると共に、該上縁を支持板に形成した上記切欠き溝に嵌合して取付けた構造としている。
【０００９】
ところで、トイレは水を使用して清掃するのが常であり、その為に水が排水口へ流れ落ちるように床面を傾斜させている。その為に床レールは床面に沿って傾斜した状態で固定されるが、トイレパネルが載置される巾木は水平でなくてはならない。その為に、該巾木を支えるアジャスター装置のアジャスターネジは、水平な床面に据付けられてパネルを支える場合に比較して、その長さ調整範囲を大きくしなくてはならない。
【００１０】
しかし、図６に示している門形脚(ト)にアジャスターネジ(チ)を螺合して起立したアジャスター装置の場合、又上記特開２００４−２５７１０７号に係る「間仕切り装置のパネルの支持構造」の場合も、アジャスターネジの長さ調整範囲は限られている。
【特許文献１】特開２００４−２５７１０７号に係る「間仕切り装置のアジャスター及びパネルの支持構造」
【発明の開示】
【発明が解決しようとする課題】
【００１１】
このように、従来のトイレブースのアジャスター装置、及びトイレパネルの支持構造には上記のごとき問題がある。本発明が解決しようとする課題はこれら問題点であり、傾斜したトイレの床面に固定した床レールに被さる巾木を水平に支えることが出来るアジャスター装置及びトイレパネルの支持構造を提供する。
【課題を解決するための手段】
【００１２】
本発明に係るトイレブースのトイレパネル支持構造は、床レールにアジャスター装置を取付け、該アジャスター装置のアジャスターネジの頭部に巾木が載置され、この巾木にトイレパネルが載って据付けられる構造としている。ところで、該アジャスター装置は床レールの両側片上端に取付けられる基板と該基板中央に設けたネジ穴にはアジャスターネジが螺合して起立している。
【００１３】
基板はアルミなどの押出し材を所定の長さに切断したもので、その断面は概略逆山形(概略Ｖ形)とし、その両側には斜め下方外側へ傾斜した挟持部を形成している。一方の床レールは両側片の上端が斜め内側へ傾斜した嵌入支持片を有し、この嵌入支持片が基板の挟持部に嵌って該基板は支えられる。そして、基板の中央には２本のリブが所定の間隔をおいて突出し、リブの内側面には複数本の凹溝が長手方向(リブに沿って)に形成され、ネジ穴は両リブの間に設けられている。ここで、基板の材質としては一般にアルミの押出し材が適しているが、強化樹脂の成形品又はアルミのダイキャスト品を用いることも出来る。
【発明の効果】
【００１４】
本発明のトイレパネルの支持構造は床レールの両側片上端の嵌入支持片を挟持部によって挟み込んでアジャスター装置が取付けられる為に、該アジャスター装置は位置ズレすることはなく、勿論トイレパネルの据付け作業中に転倒するといったこともない。また、床レールのネジ止め位置を気にすることなく配置できる。
そして、アジャスター装置のアジャスターネジは基板から垂直に起立して巾木を支えることが出来るが、基板断面は中央部を低くした概略逆山形を成している為に、アジャスターネジの頭部を大きく降下することが出来る。
【００１５】
すなわち、水平な基板に比べて中央部を低くすることでアジャスターネジの頭部の調整範囲が大きくなる。トイレを清掃する際に水が流れるように床面を傾斜している訳で、この傾斜床面にトイレブースのパネルが載る巾木をアジャスターネジでもって水平に支持することが出来る。すなわち、傾斜床面に適したアジャスター装置の支持構造と成っている。
【００１６】
一方、基板中央に設けた２本のリブ内側面に複数本の凹溝を設けているために、リブ間に下穴を加工するだけでアジャスターネジを螺合することが出来る。そして、２本のリブを基板上面の中央部に設けるならば、アジャスターネジの頭部に巾木を介してトイレパネルが載ることで作用する負荷により、該基板が撓み変形して両リブ間距離が縮小し、この為に螺合しているアジャスターネジが挟持されて弛み防止が図られる。
【実施例】
【００１７】
図１は本発明に係るアジャスター装置を示す実施例であり、同図の１は基板、２はアジャスターネジを表している。本発明のアジャスター装置は従来のような門形脚の上板にアジャスターネジを螺合して起立したものではなく、上板に相当する基板１とアジャスターネジ２とで構成している。基板１はアルミ製の押出し材を所定の長さに切断したものであり、その断面形状は概略逆山形(概略Ｖ形)を成し、その両側には挟持部３，３を設けている。
【００１８】
挟持部３は基板１の側端から斜め下方外側へ延びる挟持片４と基板１の側端下面に設けた挟持補助片５とから成り、挟持片４と挟持補助片５との間には隙間６を有している。そして、基板１の中央には上方へ突出した２本のリブ７，７が長手方向へ延びており、両リブ７，７の間であって基板１の中央には上記アジャスターネジ２が螺合して起立している。基板１は概略逆山形をしている為に、上方へ突出したリブ７，７の上面は基板１の両側端の高さとほぼ同一になっている。
【００１９】
図２は図１のＡ−Ａ断面拡大図を示しているように、リブ７，７の内側面には複数本の凹溝９，９・・が該リブ７，７に沿って形成されている。ところで、上記アジャスターネジ２が基板１に起立するには中央にネジ穴が必要であるが、上記リブ７，７の内側面に複数本の凹溝９，９・・を形成している為に、ドリル加工した下穴１１があればアジャスターネジ２を螺合して取付けることが出来る。
【００２０】
図３はリブ７，７の内側面間距離Ｌと下穴１１の内径Ｄとの関係を表し、Ｄ≒Ｌ＋０．２としている。ここで、複数本の凹溝９，９・・のピッチはアジャスターネジ２のピッチと等しくなるように押出し成形されている。基板１はアルミ製の押出し材であって、その中央部に２本のリブ７，７を成形すること、及びリブ７，７の内側面に複数本の凹溝９，９・・を成形することは容易であり、これらの部位を設けても基板１のコストアップには殆ど影響しない。
【００２１】
そして、アジャスターネジ２を螺合することが出来るように、基板中央には下穴１１だけをドリル加工している。すなわち、ネジ穴を設ける為のタップ加工をする必要はない。又、アジャスターネジ２には締付けナット１０を取付けて、リブ７，７上面との間で固定した構造としている。
【００２２】
図４は上記アジャスター装置を備えた本発明のトイレパネル支持構造を表している。同図の１２は図１に示したアジャスター装置、１３は床レール、１４は巾木、１５はトイレパネルをそれぞれ表している。ここで、トイレパネル１５とはトイレブースを構成する仕切りパネル及び正面パネルを指している。床レール１３はトイレの床面１６にネジ止めにて固定されているが、該床面１６は水平な平面でなく掃除する際に使用する水が排水口に流れ落ちるように僅かに傾斜している。
【００２３】
床レール１３の両側片１７，１７は底部１８から垂直に起立し、その上端部は斜め上方内側へ傾斜した嵌入支持片１９，１９を形成している。この嵌入支持片１９，１９が基板１の挟持部３，３に設けている隙間６，６に嵌ってアジャスター装置１２が取付けられている。該嵌入支持片１９，１９が隙間６，６に嵌ることで基板１は安定して床レール１３に取付けられる。
【００２４】
アジャスターネジ２は基板１から垂直上方へ起立し、床レール１３に被さった巾木１４はアジャスターネジ２の頭部８に載って適度な高さで支えられる。そして、巾木１４の上にはトイレパネル１５が載置されている。ここで、上記アジャスターネジ２を調整することでその頭部８の突出高さを変えることが出来るが、アジャスター装置１２の基板１は中央部を低くした概略逆山形(概略Ｖ形)の断面と成っていることで、締付けナット１０までの調整長さＨが大きくなる。
【００２５】
トイレの床面１６は傾斜している為に、該傾斜床面にトイレブースを据付けるには床レール１３，１３・・の所々に取付けた複数のアジャスター装置１２，１２・・のアジャスターネジ２，２・・の突出高さを異にして巾木１４を水平に支えなくてはならない。本発明では基板１が概略逆山形断面をしていることで、アジャスターネジ２の調整長さＨを大きく取ることが可能と成る。
【００２６】
そして、上記アジャスター装置１２の基板１はアルミ製であるが、トイレパネル１５の荷重に耐えることが出来る強度は備わっている。しかし、巾木１４に載ったトイレパネル１５の荷重がアジャスターネジ２にかかり、床レール１３の嵌入支持片１９，１９が嵌った両挟持部３，３にて支えられる。この際、基板１にはその中央部が押下げられる荷重にてモーメントＭが発生して両リブ７，７の上端部は内側へ倒れる。
【００２７】
従って、両リブ７，７に挟まれて起立しているアジャスターネジ２はリブ７，７に押圧されて固定される。同図に示すトイレパネルの支持構造では締付けナット１０が取付けられてアジャスターネジ２の弛みが防止された構造と成っているが、両リブ７，７の押圧にて弛み防止が図られる。
【００２８】
ところで、図１の実施例で示したアジャスター装置１２の基板１は概略逆山形の断面であって、その中央部には２本のリブ７，７が所定の間隔をおいて上方に突出している。しかし、本発明ではアジャスターネジ２の調整長さＨを大きくする為に下方へリブ７，７を突出する場合もある。勿論、下方へリブ７，７を設けた基板１では、モーメントＭの作用でリブ７，７がアジャスターネジ２を押圧することは出来ないが、凹溝９，９・・をリブ内側面に形成することでアジャスターネジ２が下穴加工だけで螺合して取付けられることは可能となる。
【図面の簡単な説明】
【００２９】
【図１】本発明に係るアジャスター装置。
【図２】図１のＡ−Ａ断面拡大図。
【図３】基板中央にアジャスターネジが螺合する下穴を明けた場合。
【図４】本発明に係るトイレパネルの支持構造。
【図５】一般的なトイレブースの横断面図。
【図６】図５のＢ−Ｂ断面拡大図。
【符号の説明】
【００３０】
１  基板
２  アジャスターネジ
３  挟持部
４  挟持片
５  挟持補助片
６  隙間
７  リブ
８  頭部
９  凹溝
10  締付けナット
11  下穴
12  アジャスター装置
13  床レール
14  巾木
15  トイレパネル
16  床面
17  側片
18  底部
19  嵌入支持片
【図１】
2007198065.tif 000003
【図２】
2007198065.tif 000004
【図３】
2007198065.tif 000005
【図４】
2007198065.tif 000006
【図５】
2007198065.tif 000007
【図６】
2007198065.tif 000008